(57)【特許請求の範囲】
【請求項１】
電子情報からなる地図データに基づき電子地図を表示する電子地図表示装置であって、
外部から画像データを取り込む画像データ取り込み手段と、
前記画像データ取り込み手段で取り込んだ前記画像データに基づき画像を表示する画像表示手段と、
前記画像表示手段に表示された前記画像の一部を切り出してマーク用データを生成するマーク用データ生成手段と、
前記マーク用データに基づく画像を、シンボルマークとして前記電子地図上に表示するシンボルマーク表示手段と、
を備えることを特徴とする電子地図表示装置。
【請求項２】
前記画像データが、当該電子地図表示装置に着脱自在に装着可能とされた外部記憶媒体に格納され、
前記画像データ取り込み手段は、前記外部記憶媒体に格納された前記画像データを読み出して取り込むことを特徴とする請求項１記載の電子地図表示装置。
【請求項３】
前記画像データ取り込み手段は、外部の画像データ源から画像データを取得する画像データ取得手段を備え、かつ前記画像データ取得手段で取得した前記画像データを取り込むことを特徴とする請求項１または２記載の電子地図表示装置。
【請求項４】
複数のＧＰＳ衛星から発信される信号に基づいて測位した現在位置と、電子情報からなる地図データに基づく電子地図とを表示するナビゲーション装置において、
外部から取り込んだ画像データからシンボルマークを生成するシンボルマーク生成手段と、
前記シンボルマーク生成手段で生成したシンボルマークのデータを格納するシンボルマーク格納手段と、
前記シンボルマーク格納手段から前記シンボルマークのデータを出力するシンボルマーク出力手段と、
前記地図データを出力する地図データ出力手段と、
前記現在位置の測位データを出力する測位データ出力手段と、
前記地図データと前記測位データと前記シンボルマークのデータとを合成した合成データを出力する合成データ出力手段と、
前記合成データに基づく画像を表示する表示手段と、
を備えることを特徴とするナビゲーション装置。
【請求項５】
前記シンボルマーク生成手段では、
取り込んだ画像を前記表示手段に表示させるとともに、
大きさおよび位置が変更可能な編集枠を、前記表示手段に前記画像に重ねて表示し、
前記編集枠で囲まれた範囲の前記画像に対応した画像データを抜き出して前記シンボルマークを生成することを特徴とする請求項４記載のナビゲーション装置。
【請求項６】
コンピュータに実行させるプログラムを当該コンピュータが読み取り可能に記憶した記憶媒体において、
前記プログラムは、
外部から画像データを取り込む処理と、
前記画像データに基づく画像からその一部を抜き出しシンボルマークを生成する処理と、
生成した前記シンボルマークのデータを記憶する処理と、
前記シンボルマークのデータと地図データとを呼び出し、これら前記シンボルマークのデータと前記地図データとを合成して出力する処理と、
を前記コンピュータに実行させることを特徴とする記憶媒体。
【請求項７】
電子情報からなる地図データに基づき電子地図を表示する電子地図表示方法であって、
外部から画像データを取り込む画像データ取り込みステップと、
前記画像データ取り込みステップで取り込んだ前記画像データに基づき画像を表示する画像表示ステップと、
前記画像表示ステップに表示された前記画像の一部を切り出してマーク用データを生成するマーク用データ生成ステップと、
前記マーク用データに基づく画像を、シンボルマークとして前記電子地図上に表示するシンボルマーク表示ステップと、を備えることを特徴とする電子地図表示方法。
【発明の詳細な説明】
【０００１】
【発明の属する技術分野】
本発明は、電子地図情報を表示する電子地図表示装置、および電子地図情報を用いるナビゲーション装置、および記録媒体に関する。
【０００２】
【従来の技術】
近年、地図情報を電子化し、パーソナルコンピュータ等の画面上に表示して利用できるようになっている。また、ナビゲーション装置等においては、電子化した地図情報を用い、現在位置や移動ルート等を地図に重ね合わせてモニタ上に表示している。
【０００３】
このような電子地図情報においては、例えば官公庁、役所、病院、その他建造物や会社、店舗等、目印となるもの(ランドマーク)が電子地図上に表示されることが多い。さらに、ユーザー側において、例えば店舗や会社、各種施設、知人の家等、特定の場所の位置情報を登録しておき、その位置をいわゆるシンボルマーク等によって電子地図上に表示できるようになっているものも有る。
【０００４】
例えばナビゲーション装置では、食事施設、観光施設、レジャー施設等、様々な種類のシンボルマークが予め記憶されている。より具体的には、例えばレジャー(スポーツ)系の施設用のシンボルマークとして、図９に示すような、野球のシンボルマークＭ１、ゴルフのシンボルマークＭ２、テニスのシンボルマークＭ３等がある。
ユーザー側は、これらシンボルマークのリスト中から、対象となる場所を象徴するようなシンボルマークを選び、これを電子地図上の任意の位置に登録するのである。このようにして登録されたシンボルマークは、ナビゲーション画面上の電子地図に表示され、これによって設定した対象の存在、位置およびその種別を一目で認識することができ、ナビゲーション装置の視認性を高めている。そして、これらのシンボルマークは、ユーザーが、例えば目的地の設定を行うとき等に、その操作性を向上させることもできるようになっている。
【０００５】
【発明が解決しようとする課題】
しかしながら、従来、電子地図表示装置やナビゲーション装置等に予め用意(記憶)されているシンボルマークは、あくまでも対象となるものの「種別」を表現するに過ぎなかった。したがって、例えばゴルフ場をシンボルマークＭ１で登録した場合、登録した全てのゴルフ場が同じシンボルマークＭ１で表示され、その識別が困難となっていた。
このため、一つの「種別」に対し、複数のシンボルマークが用意されることも有る。例えば図９に示したように、「人の顔」のシンボルマークとして複数のシンボルマークＭ４、Ｍ５、Ｍ６が用意されているのである。これにより、例えば「知人の家」に対して、これら複数のシンボルマークＭ４、Ｍ５、Ｍ６を用いることができ、これにより識別が容易になるかと思えるが、実際には、使用できるマークの数は当然限られており、さらには、どのシンボルマーク(例えばシンボルマークＭ５)が、どの人物を示しているか、一目で認識することは困難である。
このように、従来のシンボルマークの利用形態では、認識性および使い勝手が良いとは必ずしも言えなかったのが現状である。
【０００６】
本発明は、このような技術的課題に基づいてなされたもので、より認識しやすく、かつ使い勝手に優れた電子地図表示装置、ナビゲーション装置、および記録媒体を提供することを目的とする。
【０００７】
【課題を解決するための手段】
かかる目的のもと、本発明は、電子情報からなる地図データに基づき電子地図を表示する電子地図表示装置であって、外部から画像データを取り込む画像データ取り込み手段と、前記画像データ取り込み手段で取り込んだ前記画像データに基づき画像を表示する画像表示手段と、前記画像表示手段に表示された前記画像の一部を切り出してマーク用データを生成するマーク用データ生成手段と、前記マーク用データに基づく画像を、シンボルマークとして前記電子地図上に表示するシンボルマーク表示手段と、を備えることを特徴としている。
このような構成とすれば、外部から取り込んだ画像データの一部を切り出してシンボルマークを生成し、電子地図上に表示することができる。これにより、電子地図表示装置に予め用意されているシンボルマークではなく、ユーザー独自のシンボルマークを作成することができる。
ここで、外部から取り込む画像データとしては、シンボルマークであらわす対象、例えば施設や店舗、知人の家等、を象徴するもの、より具体的には、施設・店舗の外観や看板等の写真、知人の顔の写真等を用いるのが好ましい。
【０００８】
また、この電子地図表示装置では、着脱自在な外部記憶媒体に格納した画像データを取り込む構成とすることにより、外部記憶媒体を可搬性のあるものとすることができる。これにより、取り込む画像データの取り扱いを簡易に行うことが可能となる。またこの外部記憶媒体をモジュール化して他の機器でも共用できる構成とすることにより、この電子地図表示装置をシステマティックなものとすることができる。
【０００９】
更に、外部の画像データ源から画像データを取得して電子地図表示装置に取り込むことを特徴とすれば、例えばインターネット等の外部ネット等から画像データを取得することができる。このときに用いる画像データ取得手段としては、携帯型電話端末、携帯型データ通信端末、通信モデム等がある。
【００１０】
また、本発明のナビゲーション装置は、外部から取り込んだ画像データからシンボルマークを生成するシンボルマーク生成手段と、前記シンボルマーク生成手段で生成したシンボルマークのデータを格納するシンボルマーク格納手段と、前記シンボルマーク格納手段から前記シンボルマークのデータを出力するシンボルマーク出力手段と、前記地図データを出力する地図データ出力手段と、前記現在位置の測位データを出力する測位データ出力手段と、前記地図データと前記測位データと前記シンボルマークのデータとを合成した合成データを出力する合成データ出力手段と、前記合成データに基づく画像を表示する表示手段と、を備えることを特徴とすることができる。このように構成すれば、外部から取り込んだ画像データの一部を切り出してシンボルマークを生成し、このシンボルマークを、地図データと測位データとともに、ナビゲーション装置の画面(表示手段)に表示することができる。
【００１１】
前記シンボルマーク生成手段では、取り込んだ画像を前記表示手段に表示させるとともに、大きさおよび位置が変更可能な編集枠を、前記表示手段に前記画像に重ねて表示し、前記編集枠で囲まれた範囲の前記画像に対応した画像データを抜き出して前記シンボルマークを生成することを特徴とすることもできる。
このようにして、取り込んだ画像からシンボルマークを抜き出す作業を容易に行うことができる。また、ナビゲーション装置において基本的に備えられている操作手段、例えば、電子地図の表示範囲(尺度)を変更する「広域・詳細切り替えスイッチ」や、電子地図の表示範囲をスクロールさせる「スクロールボタン」や「ジョイスティック」等を用いて、編集枠の拡大・縮小、移動等の操作を行うようにすれば、既存のリモートコントローラ等を用いて上記作業を行うことができる。
【００１２】
また、本発明の記憶媒体は、記憶したプログラムにより、外部から取り込んだ画像データの一部を切り出してシンボルマークを生成し、このシンボルマークと他のデータ、例えば地図データ等、とともに出力する処理を行うことができる。このようなプログラムを、電子地図表示装置やナビゲーション装置等のコンピュータに実行させることにより、シンボルマークと地図データ等の他のデータとの合成表示等を行うことが可能となる。
そして、本発明の電子地図表示方法は、電子情報からなる地図データに基づき電子地図を表示する電子地図表示方法であって、外部から画像データを取り込む画像データ取り込みステップと、画像データ取り込みステップで取り込んだ画像データに基づき画像を表示する画像表示ステップと、画像表示ステップに表示された画像の一部を切り出してマーク用データを生成するマーク用データ生成ステップと、マーク用データに基づく画像を、シンボルマークとして電子地図上に表示するシンボルマーク表示ステップとを備えることを特徴とする。
【００１３】
【発明の実施の形態】
以下、添付図面に示す実施の形態に基づいてこの発明を詳細に説明する。
図１は本実施の形態におけるナビゲーション装置(電子地図表示装置)の全体的なシステム構成を説明するための図である。この図において、符号１はナビゲーション装置の全体を司る演算処理部(画像データ取り込み手段)、２は自らの位置を計測する測位部、３はナビゲーション装置の操作手段としてのリモートコントローラ、４はリモートコントローラ３からの操作情報を受信する受信部、５はハードディスクドライブ、フラッシュメモリ等の不揮発性メモリからなる記憶部(シンボルマーク格納手段)、６はモニタ等の表示部(画像表示手段、表示手段)である。
【００１４】
ここで、演算処理部１は、その全体を制御するＣＰＵ７と、所定のプログラムが格納されたＲＯＭ８と、各種データを記憶するＲＡＭ９と、前記測位部２、受信部４、記憶部５、表示部６等との間で入出力を行うＩ／Ｏ回路部１０とを備えている。
【００１５】
測位部２は、ＧＰＳ(Global Positioning System：全地球測位システム)により測位を行うもので、高度約２万ｋｍ上の複数(通常４つ以上)のＧＰＳ衛星から発信された１５７５.４２ＭＨｚの信号(電波)を図示しない受信アンテナで受信し、この信号に基づき測位計算を行い、現在位置を示す測位データを演算処理部１に転送する。
【００１６】
また、このナビゲーション装置の各種操作は、例えば図２に示すようなリモートコントローラ３等により行われる。このリモートコントローラ３は、例えば操作メニューを表示部６に表示させるメニューボタン３１、表示部６への電子地図の表示範囲を変更(スクロール)したり、表示部６に表示された各種操作メニュー等においてカーソルを移動させるため、少なくとも四方(ここでは任意の全方向)に傾倒可能とされたジョイスティック３２、表示部６への電子地図の表示尺度を変更するための広域・詳細ボタン３３、表示部６への電子地図の表示方法を変更するためのビューボタン３４、選択状態において決定操作を行う決定ボタン３５(ジョイスティック３２を押して操作する)等を少なくとも備えている。そして、このリモートコントローラ３による操作情報に基づく信号は送信部３６からワイヤレスで送信され、これが受信部４において受信された後、演算処理部１に伝達されてその操作内容が実行される。
【００１７】
さらに、図１に示したように、このナビゲーション装置には、少なくとも外部から画像データ等を取り込むため、記憶媒体(外部記憶媒体)１１およびデータ送受信部(画像データ取得手段)１２が備えられている。これらの記憶媒体１１およびデータ送受信部１２では、画像データ、登録した位置情報や移動ルート情報等の各種データを外部に出力できるようにしても良い。また、これら記憶媒体１１およびデータ送受信部１２は、双方を備えても良いし、いずれか一方のみを備える構成としても良い。
【００１８】
記憶媒体１１としては、例えば画像データ等を格納できるメモリーモジュール等があり、この記憶媒体１１はナビゲーション装置に着脱自在に装着できるようになっており、可搬性を有している。そして、記憶媒体１１を装着した状態で、Ｉ／Ｏ回路部１０を介して、格納した画像データ等を演算処理部１側に転送することができる。また逆に、演算処理部１側から画像データ等を記憶媒体１１側に転送して格納させることができるようにしても良い。ここで、このような記憶媒体１１としては、その外形寸法が統一されてモジュール化されているのが好ましい。
このように着脱自在で可搬性のある記憶媒体１１を用いることにより、取り込む画像データの取り扱いを簡易に行うことが可能となる。またこの記憶媒体１１をモジュール化することにより、当該ナビゲーション装置以外の他の機器でも共用することが可能となる。
【００１９】
また、データ送受信部１２としては、例えば携帯型電話端末、携帯型データ通信端末等がある。このようなデータ送受信部１２を介して、例えばインターネットの外部ネットワーク(外部の画像データ源)に接続し、ネットサイト等から画像データをダウンロードして取り込んだり、また電子メールに添付された画像データを取り込んだりするのである。また、データ送受信部１２を通信モデム等とすれば、このナビゲーション装置を通信回線に接続し、上記と同様、インターネット等の外部ネットワークに接続して画像データの受信を行うことができる。このようにしてデータ送受信部１２で受信した画像データ等は、Ｉ／Ｏ回路部１０を介して演算処理部１側に転送される。
【００２０】
このデータ送受信部１２は、必ずしも上記の如く自らがデータの送受信を行う機能を有する必要はなく、いわゆるインターフェイス機能を果たすものであっても良い。
このようなインターフェイス機能を有したデータ送受信部１２であれば、デジタルカメラ等(外部の画像データ源)をナビゲーション装置に接続して、デジタルカメラ等に内蔵(あるいは装着)された記憶部から、格納されている画像データ等を演算処理部１側に転送することができる。また、このようなインターフェイス機能を有したデータ送受信部１２は、例えばパーソナルコンピュータ(外部の画像データ源)と接続するためであっても良く、パーソナルコンピュータ側から画像データ等を演算処理部１側に転送するようにしても良い。
【００２１】
このようにして、データ送受信部１２では、外部から画像データを受信して取り込むことができるようになっている。さらに、上記とは逆に、データ送受信部１２を介して、画像データ等を演算処理部１側から外部に送信できるようにしても良い。
【００２２】
そして、上記のような構成からなるナビゲーション装置には、以下に示すシンボルマーク作成プログラム(マーク用データ生成手段、シンボルマーク生成手段；以下、「シンボルマーク作成エディタ」と称する)が、ＲＯＭ８に格納されている。なお、図３に示すものは、シンボルマーク作成エディタにおけるシンボルマーク作成の流れを示すフローチャートである。
このシンボルマーク作成エディタでシンボルマークを作成するには、まず、リモートコントローラ３のメニューボタン３１等で操作メニューを表示部６に表示させ、その中からジョイスティック３２等でシンボルマーク作成モードを選択し、これを決定ボタン３５で決定する。すると、シンボルマーク作成エディタが起動する(図３中ステップＳ１)。
【００２３】
次いで、記憶媒体１１あるいはデータ送受信部１２から外部の静止画像(画像、取り込んだ画像)Ｖの画像データを取り込み、ＲＡＭ９に一時的に記憶させる(図３中ステップＳ２)。ここで、取り込む画像データとしては、作成するシンボルマークによって表す対象(場所)、例えば施設、店舗、知人の家等、を象徴する画像のデータであることが好ましい。より具体的には、施設や店舗の外観や看板の写真、知人の顔等の写真(画像)等である。また、例えば施設や店舗特有のロゴマークを、ネットサイト等から取り込むことも可能である。
ここで、例えばリモートコントローラ３のビューボタン３４を操作することにより、静止画像Ｖを回転させるようにしても良い。例えばビューボタン３４を一回押すたびに、静止画像Ｖを、例えば９０度回転させるのである。これは、静止画像Ｖが例えばデジタルカメラ等で撮ったものである場合、縦向きのもの、横向きのもの、逆さのもの等があるからである。
【００２４】
図４は、シンボルマークを生成するに際しての表示画面の一例を示す図である。この図に示すように、取り込まれた画像データに基づく静止画像Ｖは、表示部６に表示される(図３中ステップＳ３)。ここで、静止画像Ｖは、例えばユーザーの知人の写真である。
そして、静止画像Ｖの表示とともに、略矩形をなしたカッティングエリア枠(編集枠)Ｃが表示部６の静止画像Ｖ上に表示される(図３中ステップＳ４)。このカッティングエリア枠Ｃは、表示部６に表示されている静止画像Ｖから切り出す範囲の外枠を示すものである。
【００２５】
カッティングエリア枠Ｃが表示部６に表示されると、カッティングエリア枠Ｃの内側に位置する範囲の画像Ａが、表示部６の所定位置、例えば左下にプレビュー画像Ｐとして表示(描画)される(図３中ステップＳ５)。このプレビュー画像Ｐは、カッティングエリア枠Ｃの大きさ(元の画像Ａの大きさ)にかかわらず、予め設定されている所定の大きさで表示部６に表示される。このため、カッティングエリア枠Ｃ内に選択された元の画像Ａの大きさを、プレビュー画像Ｐの所定の大きさに変換する必要があるわけであるが、このときには主に画像解像度を変更すれば良い。
【００２６】
ここで、カッティングエリア枠Ｃは、サイズ変更および移動ができるようになっている。図５(ａ)に示すように、カッティングエリア枠Ｃを拡大あるいは縮小するには、リモートコントローラ３の例えば広域・詳細ボタン３３を操作する。この操作がなされた場合、静止画像Ｖはそのままで、カッティングエリア枠Ｃのみが、予め設定された複数段階の大きさに拡大(広域ボタンによる操作)あるいは縮小(詳細ボタンによる操作)されて、表示部６に表示される(その縦横比は一定のまま：図３中ステップＳ６〜Ｓ７)。
【００２７】
また、図５(ｂ)に示すように、カッティングエリア枠Ｃを移動するには、リモートコントローラ３の例えばジョイスティック３２を操作する。この操作がなされた場合、静止画像Ｖはそのままで、カッティングエリア枠Ｃのみが、ジョイスティック３２の傾倒された方向に、その大きさを維持したまま移動して表示部６に表示される(図３中ステップＳ８〜Ｓ９)。
【００２８】
このようなカッティングエリア枠Ｃの拡大・縮小や移動等の操作がなされた場合も、拡大・縮小あるいは移動後のカッティングエリア枠Ｃにおいて、その内側に位置する範囲の画像Ａが、表示部６の所定位置、例えば左下にプレビュー画像Ｐとして表示(描画)される(図３中ステップＳ５)。これらのプレビュー画像Ｐも、画像解像度の変更等により所定の大きさで表示部６に表示される。
【００２９】
そして、上記カッティングエリア枠Ｃの拡大・縮小操作や移動操作を必要に応じて繰り返し行い、カッティングエリア枠Ｃを所望の大きさ・位置に位置決めできた時点で(図３中ステップＳ１０)、決定ボタン３５を操作する。すると、この時点でのカッティングエリア枠Ｃ内の画像Ａに対応した画像データが抜き出され、所定の大きさのシンボルマークを形成するため、画像解像度の変更等の処理も行われる。このようにして、いわば切り取られた画像は、最終的にプレビュー画像Ｐとして表示されていたものと同じである。
しかる後、切り取られた画像の画像データは、シンボルマークＭの画像データ(マーク用データ、シンボルマークのデータ)として記憶部５に記憶される(図３中ステップＳ１１)。
【００３０】
上記のようにして、外部から取り込んだ画像から、その一部を切り出し、シンボルマークＭとして設定することができるのである。
【００３１】
ここで、シンボルマークＭとしては、上記したような矩形のものに限らず、例えば図６(ａ)に示すようなハート型をはじめ丸型、三角形、菱形、多角形等、様々な形状のものとすることが可能である。ハート型のシンボルマークＭ’を生成するには、図６(ａ)に示したようなハート型のカッティングエリア枠(編集枠)Ｃ’を予め用意しておき、カッティングエリア枠Ｃ’の内側の範囲の画像Ａ’のみを切り出してシンボルマークＭ’とすれば良い。このとき、プレビュー画像Ｐ’も、カッティングエリア枠Ｃ’に対応した形状となる。
このようなシンボルマークＭ’を表示部６に表示する場合、実際の画像データ全体としては、図６(ｂ)に示すような略矩形状をなした範囲の画像データ設定であるのが通常である。このため、シンボルマークＭ’を上記したような異形のものとする場合、画像データとしては矩形状の範囲のデータとし、カッティングエリア枠Ｃ’よりも外側の範囲(図中斜線の部分)のピクセル(PIXEL)値を透過色に設定し、下地の画像(電子地図Ｅ)を表示するようにする。
【００３２】
上記の如くして作成されたシンボルマークＭは、通常のシンボルマークと同様、ユーザーの設定により電子地図上の任意の位置に表示できるようになっている。これには、シンボルマークＭを表示すべき位置座標データと、記憶部５においてこのシンボルマークＭが記憶されているアドレスとが関連付けて記憶部５に記憶されている。さらに、シンボルマークＭにユーザーが定義した名称を関連付けて記憶部５に記憶させておくことも可能である。
【００３３】
図７は、作成したシンボルマークＭを、地図や測位データ等と合成して表示するための構成を示す図である。また図８に示すものは、上記のようにして生成した独自のシンボルマークＭを、電子地図Ｅ上の任意の位置に登録し、これを電子地図Ｅとともに表示部６に表示した例である。
このようなナビゲーション装置では、基本的には、演算処理部１に備えられた地図表示回路(地図データ出力手段)２１により、従来と同様、図示しないＣＤ−ＲＯＭ、ＤＶＤ−ＲＯＭ等の記憶媒体に格納された電子情報からなる地図データ(他のデータ)を読み出し、リモートコントローラ３のジョイスティック３２や広域・詳細ボタン３３等で選択された範囲の電子地図Ｅの地図データを出力する。
また、測位部２での測位結果に基づく自らの現在位置や移動軌跡を形成するための測位データ等を、演算処理部１に備えられた測位データ表示回路(測位データ出力手段)２２により出力する。さらに、ユーザーが設定した移動ルートデータ等は記憶部５に格納され、必要に応じ、設定された移動ルートデータ等が、演算処理部１の移動ルートデータ出力回路２４により出力される。
そして、電子地図Ｅの表示部６に表示される範囲内に、その位置座標が含まれるシンボルマークＭがある場合には、記憶部５を参照して該当するシンボルマークＭの画像データを、演算処理部１に備えられたシンボルマーク表示回路(シンボルマーク表示手段，シンボルマーク出力手段)２５により出力する。
これら出力された地図データ、測位データ、移動ルートデータ、シンボルマークＭの画像データは、演算処理部１に備えられた合成回路(合成データ出力手段)２３において合成され、合成データとして表示部６に出力される。そして図８に示したように、表示部６においては、この合成データに基づく画像、つまり電子地図Ｅに、シンボルマークＭと、測位データ、移動ルートデータ等が合成されて表示される。
このとき、このシンボルマークＭにユーザーが定義した名称がある場合には、その名称を表示部６に合成して表示するようにしても良い。そして、ＲＯＭ８に格納されたルート案内プログラムによって、設定した移動ルートに基づくルート案内を行う。
【００３４】
また、例えばナビゲーション用のルート設定画面等においては、ユーザーが登録したシンボルマークＭと、これに対応する名称等を一覧表示しても良い。この場合、ユーザーは、一覧表示されたシンボルマークＭを選択することにより、出発地、目的地、経由地等の設定を行うこともできる。
ここで、上記したような電子地図ＥやシンボルマークＭの表示方法等については、従来、通常のシンボルマークの場合と同様であり、より具体的には、例えば、本出願人が既に出願した特開平５−３０７３５８号公報の技術等を適用できる。
【００３５】
上述したナビゲーション装置では、外部から取り込んだ画像からその一部を切り出し、シンボルマークＭを生成することができるようになっている。このとき、外部から取り込む画像として、例えば知人の写真、店舗や施設等の外観や看板等の写真を用いることにより、生成したシンボルマークＭのそれぞれと、そシンボルマークＭが指し示す対象の場所(知人、店舗、施設等)とを、一意的に結びつけることが容易に行える。このようなシンボルマークＭを電子地図Ｅ上に表示することにより、シンボルマークＭの識別が容易かつ確実に行え、ナビゲーション装置の画面認識性を高めるとともに使い勝手を向上させ、商品付加価値を高めることができる。
【００３６】
なお、上記実施の形態において、シンボルマーク作成エディタの操作をリモートコントローラ３で行う構成としたが、これはあくまでもその一例に過ぎず、他の方法で操作を行うようにしても良い。
【００３７】
また、様々な形のシンボルマークＭを生成するため、例えばハート型等のカッティングエリア枠Ｃ’を予め用意しておく構成としたが、これに限るものではなく、例えば標準となる矩形のカッティングエリア枠Ｃを任意の形状に変形可能な構成としておいても良い。このような場合、例えば、ジョイスティック３２等でカッティングエリア枠Ｃの変形操作を行うことは、例えばパーソナルコンピュータの描画用のソフトウェア等と同様の方法を適用すれば実現が可能である。そしてこのようにカッティングエリア枠Ｃを任意の形状とする場合も、その外側の範囲のピクセル(PIXEL)値を透過色に設定し、下地の画像(電子地図Ｅ)を透過させて表示すればよい。
また、生成して登録することのできるシンボルマークＭの数(種類)は、予めシンボルマーク作成エディタで設定した範囲内、あるいは記憶部５の記憶容量の範囲内であれば、複数設定可能である。
【００３８】
また、ナビゲーション装置全体の構成についても何ら限定する意図はなく、いかなる構成のものであっても良い。
さらに、電子地図情報を表示するのであれば、ナビゲーション装置以外にも本発明を適用することが可能である。
【００３９】
また、本発明は、上記実施の形態で示したような処理を行うプログラムを記憶させたＣＤ−ＲＯＭ、ＤＶＤ、メモリ、ハードディスク等の記憶媒体の形態とすることも可能である。特に、携帯電話等を介してインターネット等の外部ネットワークに接続可能な機能を有しているナビゲーション装置であれば、上記のようなプログラムを記憶する記憶媒体により当該プログラムを実行すれば、上記実施の形態で示したような構成を実現可能である。
加えて、上記のようなプログラムを記憶するＣＤ−ＲＯＭ、ＤＶＤ、メモリ、ハードディスク等の記憶手段と、この記憶手段から当該プログラムを読み出し、当該プログラムを実行する装置側に直接あるいは間接的に当該プログラムを送信する送信手段とを備える伝送装置等の形態を成していても良い。
【００４０】
これ以外にも、本発明の主旨を逸脱しない範囲内であれば、上記実施形態の各部の構成を適宜変更しても何ら支障はない。
【００４１】
【発明の効果】
以上説明したように、本発明によれば、施設や店舗の外観や看板、知人の顔の写真等、対象となる場所を象徴する画像の画像データを外部から取り込み、その一部を切り出してシンボルマークを生成することにより、ユーザー独自のシンボルマークを作成することができ、電子地図の認識性を高めるとともにその使い勝手を向上させ、商品付加価値を高めることができる。
【図面の簡単な説明】
【図１】  本実施の形態におけるナビゲーション装置の全体的なシステム構成を説明するための図である。
【図２】  前記ナビゲーション装置で用いるリモートコントローラの一例を示す外観図である。
【図３】  同ナビゲーション装置におけるシンボルマーク生成手順を示すフローチャートである。
【図４】  シンボルマークを生成するに際しての表示画面の一例を示す図であり、取り込んだ画像上に編集枠を表示させた状態である。
【図５】  シンボルマークの生成途中の状態の例を示す図であり、(ａ)は、図４に対し編集枠を縮小した状態、(ｂ)は(ａ)に対して編集枠を移動させた状態である。
【図６】  他の形のシンボルマークを作成する場合の図である。
【図７】  シンボルマークを電子地図や測位データ等と合成して表示するための構成を示す図である。
【図８】  生成したシンボルマークを、電子地図上の任意の位置に登録し、これを電子地図とともに表示した例である。
【図９】  従来のシンボルマークの例を示す図である。
【符号の説明】
１…演算処理部(画像データ取り込み手段)、３…リモートコントローラ、５…記憶部(シンボルマーク格納手段)、６…表示部(画像表示手段、表示手段)、１１…記憶媒体(外部記憶媒体)、１２…データ送受信部(画像データ取得手段)、２１…地図表示回路(地図データ出力手段)、２２…測位データ表示回路(測位データ出力手段)、２３…合成回路(合成データ出力手段)、２５…シンボルマーク表示回路(シンボルマーク表示手段，シンボルマーク出力手段)、３２…ジョイスティック、３３…広域・詳細ボタン、３５…決定ボタン、Ｃ、Ｃ’…カッティングエリア枠(編集枠)、Ｅ…電子地図、Ｍ、Ｍ’…シンボルマーク、Ｖ…静止画像(画像、取り込んだ画像)
【図１】
0004403336.tif 000002
【図２】
0004403336.tif 000003
【図３】
0004403336.tif 000004
【図４】
0004403336.tif 000005
【図５】
0004403336.tif 000006
【図６】
0004403336.tif 000007
【図７】
0004403336.tif 000008
【図８】
0004403336.tif 000009
【図９】
0004403336.tif 000010